(57)【要約】【課題】本発明は開閉蓋を閉じた状態で収納された宝石を上部および前面あるいは側面より全体を見えるように展示や収納保管でき、汚れや埃が宝石に付着するのを防止して、必要なものを開閉蓋を開放することなく、短時間に探し出すことができる宝石箱を得るにある。【解決手段】上部が開口された箱状の宝石箱本体と、この宝石箱本体内に収納された宝石支持溝が形成されたクッション材製の宝石支持マットと、前記宝石箱本体の開口部を開閉する、該宝石箱本体にヒンジ部材を介して取付けられた上面および前面あるいは側面部位に透明材を用いて形成された開閉蓋とで宝石箱を構成している。【選択図】  図２
2005087471.tif 000002
【特許請求の範囲】
【請求項１】
上部が開口された箱状の宝石箱本体と、この宝石箱本体内に収納された宝石支持溝が形成されたクッション材製の宝石支持マットと、前記宝石箱本体の開口部を開閉する、該宝石箱本体にヒンジ部材を介して取付けられた上面および前面あるいは側面部位に透明材を用いて形成された開閉蓋とからなることを特徴とする宝石箱。
【請求項２】
上部が開口された箱状の宝石箱本体と、この宝石箱本体内に収納された宝石支持溝が形成されたクッション材製の宝石支持マットと、この宝石支持マットの宝石支持溝に支持された宝石を前面からきれいに見ることができるように、該宝石支持マットあるいは前記宝石箱本体のいずれか一方あるいはこれらの間に取付けられた屏風と、前記宝石箱本体の開口部を開閉する、該宝石箱本体にヒンジ部材を介して取付けられた上部および前面あるいは側面部位に透明材を用いて形成された開閉蓋とからなることを特徴とする宝石箱。  
【請求項３】
上部が開口された箱状の宝石箱本体と、この宝石箱本体内に収納された宝石を支持させた宝石支持具を支持する支持部が形成されたクッション材製の宝石支持マットと、前記宝石箱本体の開口部を開閉する、該宝石箱本体にヒンジ部材を介して取付けられた上部および前面あるいは側面部位に透明材を用いて形成された開閉蓋とからなることを特徴とする宝石箱。
【請求項４】
上部が開口された箱状の宝石箱本体と、この宝石箱本体内に収納された宝石支持溝が形成されたクッション材製の宝石支持マットと、前記宝石箱本体の開口部を開閉可能に嵌合することができる上面および前面あるいは側面部位を、透明材を用いて形成された開閉蓋とからなることを特徴とする宝石箱。
【発明の詳細な説明】
【技術分野】
【０００１】
本発明は指輪やネックレス等の宝石を収納することができる宝石箱に関する。
【背景技術】
【０００２】
従来の宝石箱は上部が開口された箱状の宝石箱本体と、この宝石箱本体内に収納された宝石支持溝が形成されたクッション材製の宝石支持マットと、前記宝石箱本体の開口部を開閉する、該宝石箱本体にヒンジ部材を介して取付けられた開閉蓋とで構成したり、裸宝石を収納するために宝石箱本体内にクッション材製の宝石マットを収納し、開閉蓋に宝石マット上に置かれた裸宝石を押し圧する透明プラスチック板の天板を用いた開閉蓋を用いて構成している。
【０００３】
従来の裸宝石を収納する宝石箱は、上部から収納された裸宝石の平面状の輪郭を確認することができるが、開閉蓋を開放しなければ収納している裸宝石の全体を確認することができないという欠点があった。
このため、販売店では前者の宝石箱は開閉蓋を開放して展示するため、宝石が汚れたり、埃が付着するという欠点があり、開閉蓋を閉じてしまうと、宝石箱本体内に指輪等の宝石が収納されているか否かの判断ができず、在庫確認、商品管理上の手間がかかるという欠点があった。
また、使用者は後者の裸宝石を収納する宝石箱を使用することはなく、前者の宝石箱を使用するため、複数個の宝石箱の開閉蓋を開放しなければ必要な宝石を見つけることができないとともに、収集した宝石を金庫や引き出しに収納保管するだけで、身近に展示しておくことができないという欠点があった。
【特許文献１】特開平１１−２９０１７３
【発明の開示】
【発明が解決しようとする課題】
【０００４】
本発明は以上のような従来の欠点に鑑み、開閉蓋を閉じた状態で収納された宝石を上部および前面あるいは側面より全体を見えるように展示や収納保管でき、汚れや埃が宝石に付着するのを防止して、必要なものを開閉蓋を開放することなく、短時間に探し出すことができる宝石箱を提供することを目的としている。
また、本発明の他の目的は、宝石箱に収納された宝石を開閉蓋を閉じた状態で、よりきれいに見えるようにした宝石箱を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は上部が開口された箱状の宝石箱本体と、この宝石箱本体内に収納された宝石支持溝が形成されたクッション材製の宝石支持マットと、前記宝石箱本体の開口部を開閉する、該宝石箱本体にヒンジ部材を介して取付けられた上面および前面あるいは側面部位に透明材を用いて形成された開閉蓋とで宝石箱を構成している。
【０００７】
また、本発明は上部が開口された箱状の宝石箱本体と、この宝石箱本体内に収納された宝石支持溝が形成されたクッション材製の宝石支持マットと、この宝石支持マットの宝石支持溝に支持された宝石を前面からきれいに見ることができるように、該宝石支持マットあるいは前記宝石箱本体のいずれか一方あるいはこれらの間に取付けられた屏風と、前記宝石箱本体の開口部を開閉する、該宝石箱本体にヒンジ部材を介して取付けられた上部および前面あるいは側面部位に透明材を用いて形成された開閉蓋とで宝石箱を構成している。
【発明の効果】
【０００８】
以上の説明から明らかなように、本発明にあっては次に列挙する効果が得られる。
【０００９】
（１）宝石箱本体内に収納された宝石支持溝が形成されたクッション材製の宝石支持マットと、宝石箱本体の開口部を開閉する上面および前面あるいは側面部位に透明材を用いた開閉蓋とを用いているので、開閉蓋を閉じた状態で、内部の宝石支持マットの宝石支持溝に支持された宝石の上部と前面あるいは側面から確認することができる。
したがって、開閉蓋を閉じた状態で、内部の宝石の全体を確認することができ、開閉蓋を閉じた状態での展示ができる。
【００１０】
（２）前記（１）によって、開閉蓋を閉じた状態での展示ができるので、収納した宝石が汚れたり、埃が付着したりすることなく、きれいに展示することができる。
また、開閉蓋を閉じた状態で宝石が収納されていることが判別できるので、在庫確認、商品管理が容易にできる。
【００１１】
（３）前記（１）によって、使用者は開閉蓋を閉じた状態で使用したい宝石の選択ができ、使用したい宝石の選択作業が容易で、楽に行なうことができるとともに、身近に展示して宝石を眺めて楽しむことができる。
【００１２】
（４）請求項２も前記（１）〜（３）と同様な効果が得られるとともに、屏風によって収納された宝石をよりきれいに見えるようにすることができる。
【００１３】
（５）前記（４）によって、屏風によって宝石を飾った状態で収納でき、全体で飾り物にすることができる。
【００１４】
（６）請求項３、４も前記（１）〜（３）と同様な効果が得られる。
【発明を実施するための最良の形態】
【００１５】
以下、図面に示す本発明を実施するための最良の形態より、本発明を詳細に説明する。
【００１６】
図１ないし図７に示す本発明を実施するための最良の第１の形態において、１は本発明の宝石箱で、この宝石箱１は上部が開口部２された四角箱状の宝石箱本体３と、この宝石箱本体３内に上部が該宝石箱本体３の上部と同一面あるいはそれ以上に上方へ突出するように収納された宝石支持溝４が形成されたクッション材製の宝石支持マット５と、前記宝石箱本体３の開口部２を開閉する、該宝石箱本体３にヒンジ部材６を介して取付けられた閉状態で上面および前面より前記宝石支持マット５の宝石支持溝４に支持された指輪７の宝石８部分を見ることができる開閉蓋９と、前記宝石箱本体３の後部内壁面３ａと前記宝石支持マット５との間に下端部が挿入固定された、該宝石支持マット５の宝石支持溝４に支持された指輪７の宝石８部分をきれいに見えるようにする屏風１０とで構成されている。
【００１７】
前記開閉蓋９は図５および図６に示すように四角形状の開閉蓋本体１１と、この開閉蓋本体１１の上面および前面に形成された開口部１２と、この開口部１２と、この開口部１２の周縁部に形成されたカバー板支持部１３と、このカバー板支持部１３で周縁部が支持されるとともに、接着剤等によって固定された、前記開口部１２を覆うガラスあるいはアクリル板等で形成されたカバー板１４とで構成されている。
【００１８】
上記構成の宝石箱１は宝石箱本体３内の宝石支持マット５の宝石支持溝４に、宝石８が取付けられた指輪７のリング１５部分を差し込み支持させる。
この状態で開閉蓋９を閉じた状態にして、ショーケース等に展示することにより、開閉蓋９が閉じた状態でも上部および前面から透明なカバー板１４部より内部の指輪７の宝石８のほぼ全体を見ることができ、宝石８の確認のための開閉蓋９の開閉が不要で、指輪７や宝石支持マット５が汚れたり、埃が付着したりするのを防止でき、きれいに展示することができる。
[発明を実施するための異なる形態]
【００１９】
次に、図８ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図８ないし図１１に示す本発明を実施するための第２の形態において、前記本発明を実施するための最良の第１の形態と主に異なる点は、上面および両側面に開口部１２Ａを形成し、該開口部１２Ａをコ字状の透明材製のカバー板１４Ａで覆った開閉蓋９Ａを用いた点で、このように形成された開閉蓋９Ａを用いて構成した宝石箱１Ａにしても、前記本発明を実施するための最良の第１の形態と同様な作用効果が得られる。
【００２１】
図１２ないし図１４に示す本発明を実施するための第３の形態において、前記本発明を実施するための最良の第１の形態と主に異なる点は、宝石支持溝４よりも後部寄りの部位に屏風１０の下部を差し込み固定する屏風支持溝１６を形成した宝石支持マット５Ａを用いた点で、このように形成された宝石支持マット５Ａを用いて構成した宝石箱１Ｂにしても、前記本発明を実施するための最良の第１の形態と同様な作用効果が得られる。
【００２２】
図１５ないし図１７に示す本発明を実施するための第４の形態において、前記本発明を実施するための最良の第１の形態と主に異なる点は、複数個の指輪７を並列状態に支持する宝石支持具１７を支持する支持部１８を形成した宝石支持マット５Ｂを用いた点で、このように形成された宝石支持マット５Ｂを用いて構成された宝石箱１Ｃにしても、前記本発明を実施するための最良の第１の形態と同様な作用効果が得られる。
【００２３】
図１８ないし図２０に示す本発明を実施するための第５の形態において、前記本発明を実施するための最良の第１の形態と主に異なる点は、六角形状の宝石箱本体３Ａ、宝石支持マット５Ｃおよび開閉蓋９Ｂを用いるとともに、三面鏡となる屏風１０Ａを用いた点で、このように構成した宝石箱１Ｄにしても、前記本発明を実施するための最良の第１の形態と同様な作用効果が得られるとともに、屏風１０Ａが三面鏡であるため、より指輪７の宝石８部分の全体を確実に見ることができ、かつきれいに見せることができる。
【００２４】
図２１ないし図２４に示す本発明を実施するための第６の形態において、前記本発明を実施するための最良の第１の形態と主に異なる点は、開閉蓋本体３の下端部にリング１９を取付けるとともに、該リング１９の前面中央部に宝石箱本体３の前面中央部に取付けられた操作片２０の操作で移動する係止片２１と係合する係合部２２を形成した開閉蓋９Ｃと、ヒンジ部材６を覆うように一端部が宝石箱本体３の背面に取付けられ、他端部が開閉蓋９Ｃの背面に取付けられた屏風１０Ｂと、前記宝石箱本体３の上部開口部２よりも宝石支持マット５の上部が上方に位置するものを使用した点で、このように構成した宝石箱１Ｅにしても、前記本発明を実施するための最良の第１の形態と同様な作用効果が得られる。
【００２５】
図２５ないし図２７に示す本発明を実施するための第７の形態において、前記本発明を実施するための最良の第１の形態と主に異なる点は、宝石箱本体３に着脱可能に取付けることができる上面および前面を覆う透明材製のカバー体１４を固定した開閉蓋９Ｄを用いた点で、このように構成した宝石箱１Ｆにしても、前記本発明を実施するための最良の第１の形態と同様な作用効果が得られる。
【産業上の利用可能性】
【００２６】
本発明は宝石箱を製造する産業、および宝石を販売する産業で利用される。
【図面の簡単な説明】
【００２７】
【図１】本発明を実施するための最良の第１の形態の平面図。
【図２】本発明を実施するための最良の第１の形態の正面図。
【図３】本発明を実施するための最良の第１の形態の背面図。
【図４】本発明を実施するための最良の第１の形態の側面図。
【図５】図１の５−５線に沿う断面図。
【図６】図１の６−６線に沿う断面図。
【図７】本発明を実施するための最良の第１の形態の開閉蓋の開放状態の説明図。
【図８】本発明を実施するための第２の形態の平面図。
【図９】本発明を実施するための第２の形態の側面図。
【図１０】本発明を実施するための第２の形態の正面図。
【図１１】図８の１１−１１線に沿う断面図。
【図１２】本発明を実施するための第３の形態の平面図。
【図１３】本発明を実施するための第３の形態の正面図。
【図１４】図１２の１４−１４線に沿う断面図。
【図１５】本発明を実施するための第４の形態の平面図。
【図１６】本発明を実施するための第４の形態の正面図。
【図１７】図１５の１７−１７線に沿う断面図。
【図１８】本発明を実施するための第５の形態の平面図。
【図１９】本発明を実施するための第５の形態の正面図。
【図２０】図１８の２０−２０線に沿う断面図。
【図２１】本発明を実施するための第６の形態の平面図。
【図２２】本発明を実施するための第６の形態の正面図。
【図２３】図２１の２３−２３線に沿う断面図。
【図２４】本発明を実施するための第６の形態の開閉蓋の開放状態の説明図。
【図２５】本発明を実施するための第７の形態の平面図。
【図２６】本発明を実施するための第７の形態の正面図。
【図２７】本発明を実施するための第７の形態の開閉蓋を外した状態の説明図。
【符号の説明】
【００２８】
１、１Ａ、１Ｂ、１Ｃ、１Ｄ、１Ｅ、１Ｆ：宝石箱、
２：開口部、３、３Ａ：宝石箱本体、
４：宝石支持溝、
５、５Ａ、５Ｂ、５Ｃ：宝石支持マット、
６：ヒンジ部材、７：指輪、８：宝石、
９、９Ａ、９Ｂ、９Ｃ、９Ｄ：開閉蓋、
１０、１０Ａ、１０Ｂ：屏風、１１：開閉蓋本体、
１２、１２Ａ：開口部、１３：カバー板支持部、
１４、１４Ａ：カバー板、１５：リング、
１６：屏風支持溝、１７：宝石支持具、
１８：支持部、   １９：リング、
２０：操作片、   ２１：係止片、
２２：係合部。
【図１】
2005087471.tif 000003
【図２】
2005087471.tif 000004
【図３】
2005087471.tif 000005
【図４】
2005087471.tif 000006
【図５】
2005087471.tif 000007
【図６】
2005087471.tif 000008
【図７】
2005087471.tif 000009
【図８】
2005087471.tif 000010
【図９】
2005087471.tif 000011
【図１０】
2005087471.tif 000012
【図１１】
2005087471.tif 000013
【図１２】
2005087471.tif 000014
【図１３】
2005087471.tif 000015
【図１４】
2005087471.tif 000016
【図１５】
2005087471.tif 000017
【図１６】
2005087471.tif 000018
【図１７】
2005087471.tif 000019
【図１８】
2005087471.tif 000020
【図１９】
2005087471.tif 000021
【図２０】
2005087471.tif 000022
【図２１】
2005087471.tif 000023
【図２２】
2005087471.tif 000024
【図２３】
2005087471.tif 000025
【図２４】
2005087471.tif 000026
【図２５】
2005087471.tif 000027
【図２６】
2005087471.tif 000028
【図２７】
2005087471.tif 000029